(57)【要約】【課題】頸椎への負担が少なく、かかる力が胴体部全体に分散されて身体を保持することができ、使用者の指示、合図がペットに確実に伝えられる胴輪を提供する、【解決手段】胴部帯体に連結する前帯状体及び後ろ帯状体の各端部を、貫通口を有する二つの連結部材に連結するとともに、前記二つの連結部材の前記貫通口に紐状体を挿通し、前記紐状体に結着される引き綱の操作で前記前帯状体及び後ろ帯状体の周長を調整できるように構成したペット用胴輪であり、かかる力が胴体部全体に分散されて身体を保持することができ、使用者の指示、合図がペットに確実に伝えられるようにしたもの。【選択図】図１
2014100132.tif 000002
【特許請求の範囲】
【請求項１】
胴部帯体に連結する前帯状体及び後ろ帯状体の各端部を、貫通口を有する二つの連結部材に連結するとともに、前記二つの連結部材の前記貫通口に紐状体を挿通し、前記紐状体に結着される引き綱の操作で前記前帯状体及び後ろ帯状体の周長を調整できるように構成したことを特徴とするペット用胴輪。
【請求項２】
請求項１記載のペット用胴輪において、前記貫通口に挿通される前記紐状体の両端に前記二つの連結部材の貫通口の内径より大きい外径の連結環を連結し、前記連結環を介して前記引き綱が結着されることを特徴とするペット用胴輪。
【請求項３】
請求項１又は請求項２記載のペット用胴輪において、前記前帯状体又は後ろ帯状体の少なくともどちらか一方の帯状体は、長さ調節具を有していることを特徴とするペット用胴輪。
【発明の詳細な説明】
【技術分野】
【０００１】  本発明は犬等ペットに使用可能な胴輪に関する。
【背景技術】
【０００２】  従来の犬の首輪においては、頸部を締め付けるために、頸部帯状体に連結する連結部材に挿通した紐状体が連結する連結環よりなる構造のものが知られている。
【先行技術文献】
【登録意匠文献】
【０００３】
【登録意匠文献１】
登録意匠  第１０１０７０６号  公報
【発明の概要】
【発明が解決しようとする課題】
【０００４】  登録意匠公報に記載された首輪は、ペットの頸椎部分を締めつけるものであり頸椎ヘルニアなどペットに加わる負担が大きいので、本発明はこの欠点を解消して、ペットの胴体部を安全に緩急に締め付けることで使用者の指示、合図がペットに確実に伝えられる胴輪を提供することを目的とする。
【課題を解決するための手段】
【０００５】  上記課題を解決するために本発明は、胴部帯体に連結する前帯状体及び後ろ帯状体の各端部を、貫通口を有する二つの連結部材に連結するとともに、前記二つの連結部材の前記貫通口に紐状体を挿通し、前記紐状体に結着される引き綱の操作で前記前帯状体及び後ろ帯状体の周長を調整できるように構成したことを特徴とするペット用胴輪を提供する。【０００６】  また本発明は、前記貫通口に挿通される前記紐状体の両端に前記二つの連結部材の貫通口の内径より大きい外径の連結環を連結し、前記連結環を介して前記引き綱が結着されることを特徴とするペット用胴輪を提供する。【０００７】  また本発明は、前記前帯状体又は後ろ帯状体の少なくともどちらか一方の帯状体は、長さ調節具を有していることを特徴とするペット用胴輪を提供する。
【発明の効果】
【０００８】  上記のように本発明により、ペットの頸椎部分への負担が少ない胴輪において、胴部帯体及び前後の帯状体により、かかる力が胴部全体に分散されるとともに、引き綱を引くことで前後の帯状体の周長を調整、ペットの胴体部が緩急に締まり使用者の指示、合図が確実に伝えられる。そして連結された前帯状体を首に先に通すことでペットの身体を保持、その後に胴部への装着が可能なため、ペットへの胴輪の装着、脱着を少ない動作で速やかに行うことができる。さらに構造が簡単なので生産の工程も少なくなる。
【図面の簡単な説明】
【０００９】
【図１】  本発明の第１の実施例形態の胴輪を示す図。
【図２】  第１の実施例形態の胴輪を示す斜視図。
【図３】  連結状態の要部を示す図。
【図４】  胴部帯体後部７ｂを示す図。
【図５】  図１胴輪の使用状態を示す図。
【図６】  本発明の第２の実施例形態の胴輪を示す図。
【図７】  連結環１に連結する紐状体２が挿通する連結部材３の別の形状を示す図。
【図８】  紐状体２が挿通する連結部材３の別の形状を示す図。
【発明を実施するための形態】
【００１０】  以下本発明の実施の形態を図面に基づいて説明する。
図１乃至図４により本発明の第１の実施例形態を説明する。
二つの連結部材３ａ、３ｂに紐状体２を挿通し、連結環１に紐状体２の両端を連結している。連結環１に連結された紐状体２は、連結部材３ａ、３ｂ間を制約範囲内で可動する。この場合の制約とは、連結環１の外寸は連結部材３ａ、３ｂの貫通口内寸より大きく、連結環１は連結部材３ａ、３ｂを潜り抜けることができない。そのため連結環１が常に連結部材３ａ、３ｂ間の表片面にあることを可能にしている。
【００１１】  結着する引き綱１０で連結環１を引くことで紐状体２が連動、二つの連結部材３ａ、３ｂが紐状体２上を移動、連結部材３ａ、３ｂの間を狭める役割をする。そして連結環１が常に体表上部面にあることで引き綱１０の連結を容易にする。なお、連結部材３ａ、３ｂはリング形状に限らず、図７及び図８に示すような連結環１、紐状体２、連結部材３からなる形状のものでもよい。
【００１２】  後ろ帯状体６ａの一端に長さ調節具８を縫着等結合させ、もう一端を通し押え具９と接離部材４ａに挿通の後、通し押え具９と長さ調節具８に挿通することで長さ調節ができ接離部材４ａが連結された後ろ帯状体６ａが形成される。後ろ帯状体６ｂもそれぞれ後ろ帯状体６ａと同じ状態で形成される。
【００１３】  これら後ろ帯状体６ａ、６ｂの一方、接離部材４ａ、４ｂが連結されていない一端を、胴部帯体７を用い胴部帯体後部７ｂで縫着等結合させ、一連の後ろ帯状体６が形成される。
【００１４】  図４は、胴部帯体後部７ｂの状態を示し、胴部帯体前部７ａは、胴部帯体７の一端を前帯状体５が挿通できるように折り返して縫着等結合する。
【００１５】  前帯状体５はその一端に長さ調節具８を縫着等結合している。もう一端を通し押え具９と連結部材３ａに挿通の後、通し押え具９と長さ調節具８に挿通する。その後に胴部帯体前部７ａを挿通させ、もう一方の連結部材３ｂに縫着等結合することで前帯状体５と連結部材３ａ、３ｂ、紐状体２と連結環１、胴部帯体７、後ろ帯状体６が連結した状態にしている。後ろ帯状体６の両端の切離部材４ａ、４ｂをそれぞれ連結部材３ａ、３ｂに結着することで一体化された胴輪が形成される。
【００１６】  次に本発明の第１の実施例形態の使用方法を説明する。
前帯状体５の長さ調節具８を動かし、ペットの首胸部太さに合わせる。その後、後ろ帯状体６を長さ調節具８で胴部の太さに合わせて調節する。
【００１７】  次に連結部材３ｂに片側の接離部材４ｂを結着する。又は、連結部材３ａに接離部材４ａを結着する。
【００１８】  前帯状体５をペットの首に通した後、胴部帯体７と後ろ帯状体６の間にペットの片足をいれる。次に連結部材３に結着されていない片側の後ろ帯状体６を胴部に廻して接離部材４で連結部材３に結着、ペットの身体に本胴輪が確実に装着される。
【００１９】  図５は本発明の第１の実施例の胴輪がペットに装着された図であり、連結環１に引き綱１０を結着することで離れた位置から使用者がペットの身体を保持する。この引き綱１０を引くことで紐状体２が連動し、連結部材３ａ、３ｂ間が狭まることで前帯状体及び後ろ帯状体が締まり、ペットの胴体部を無理なく緩急に圧迫することにより使用者の指示、合図を明確に伝えることができる。
【００２０】  図６は本発明の第２の実施例の胴輪を示している。この胴輪は胴部帯体前部７ａに挿通する前帯状体５の両端部が連結部材３ａ、３ｂに連結すると共に、胴部帯体後部７ｂに挿通する後ろ帯状体６の片側の端部が連結部材３ａに連結され、もう一方が差し込み式切離部材１２の片側を連結。連結部材３ｂに連結された接続帯状体１１に連結する差し込み式切離部材１２のもう一方部分と、後ろ帯状体６の差し込み式切離部材１２の片側を結着させることで一体化する胴輪である。図６は差し込み式切離部材１２が結着した状態を示している。
【００２１】  図７は連結部材３がＤ型の他の形状の状態を示しており、挿通する紐状体２の両端に連結部材３の貫通口より大きい外径の二つの連結環１をそれぞれ連結している。
【００２２】  図８は連結部材３が貫通口を複数有すなど他の形状の状態を示しており、貫通口を挿通する紐状体２の両端が連結している。
以上本発明を実施形態に基づいて説明したが、本発明はこの形態に限るものではなく、紐状体２は図に示すようにチェーン状のものであっても、単なる紐であってもよく、材質も一定の強さがあれば何でも良い。
【符号の説明】
【００２３】    １：連結環
２：紐状体
３、３ａ、３ｂ：連結部材
４、４ａ、４ｂ：接離部材
５、５ａ、５ｂ：前帯状体
６、６ａ、６ｂ：後ろ帯状体
７：胴部帯体
７ａ：胴部帯体前部
７ｂ：胴部帯体後部
８：長さ調節具
９：通し押え具
１０：引き綱
１１：接続帯状体
１２：差し込み式切離部材
【図１】
2014100132.tif 000003
【図２】
2014100132.tif 000004
【図３】
2014100132.tif 000005
【図４】
2014100132.tif 000006
【図５】
2014100132.tif 000007
【図６】
2014100132.tif 000008
【図７】
2014100132.tif 000009
【図８】
2014100132.tif 000010